(57)【要約】【課題】食品の位置を検知し無線通信の送信出力を可変する。【解決手段】温度情報を取得する情報収集手段３２は、位置検出手段３１で冷蔵室２内の温度センサ手段３６との無線通信に障害となる食品の位置を検知し検知情報に応じて送信出力可変手段により送信出力を変化させ、食品が多くて磁界エネルギーが、無線タグ手段３７の第２のアンテナ手段３６に届きにくいと検知した時は送信出力可変手段３４で出力する磁界の出力レベルを高くし無線通信手段３３、第１のアンテナ手段３５を介して送出し、無線タグ手段３７に設けた温度センサ手段３８により温度情報を取得させることで、食品の位置によって通信障害を受け温度検知ができない状況を減少させ、通信品質を向上させる。【選択図】図３
2009168306.tif 000002
【特許請求の範囲】
【請求項１】
食品等を保存する貯蔵室と、前記貯蔵室内の状態を検知し前記検知情報を無線通信するセンサ手段と、前記センサ手段の検知情報を無線通信によって取得する情報収集手段と、前記貯蔵室内に保存される食品等の位置を検知する位置検出手段と、前記情報収集手段から送信する無線通信の出力レベルを可変する送信出力可変手段とを備え、
前記位置検出手段によって検知される位置検出情報に応じて前記送信出力可変手段の無線通信の出力レベルを可変させる貯蔵装置。
【請求項２】
食品等を保存する貯蔵室と、前記貯蔵室内の状態を検知し前記検知情報を無線通信するセンサ手段と、前記センサ手段の検知情報を無線通信によって取得する情報収集手段と、前記貯蔵室内に保存される食品等の位置を検知する位置検出手段と、前記情報収集手段から無線信号を送信する複数のアンテナ手段とを備え、
前記位置検出手段によって検知される食品の位置に応じて前記複数のアンテナ手段の中から少なくとも１つを選択して無線通信を行う貯蔵装置。
【請求項３】
位置検出手段の位置検出情報に応じてアンテナ手段を選択し、送信出力可変手段で無線通信の出力レベルを可変する請求項２に記載の貯蔵装置。
【請求項４】
複数のアンテナ手段を貯蔵室の異なる内壁面に配置した請求項１、２または３に記載の貯蔵装置。
【請求項５】
センサ手段は第２のアンテナ手段を備え、前記第２のアンテナ手段を複数備える請求項１、２、３または４に記載の貯蔵装置。
【請求項６】
複数の第２のアンテナ手段を前記貯蔵室の異なる内壁面に配置した請求項５に記載の貯蔵装置。
【請求項７】
食品等を貯蔵室に保存するステップと、前記貯蔵室内に保存される食品等の位置を検知するステップと、食品の位置を検知し前記位置検出情報に応じて情報収集装置からの無線通信の出力レベルを可変させるステップと、センサ装置は前記情報収集装置からの制御によって貯蔵室内の状態を検知し、前記検知情報を前記情報収集装置に応答するステップを備えた貯蔵装置の制御方法。
【請求項８】
食品等を貯蔵室に保存するステップと、前記貯蔵室内に保存される食品等の位置を検知するステップと、食品の位置を検知し前記位置検出情報に応じて、前記情報収集装置に備えた複数のアンテナを切り替えるステップと、前記センサ装置は前記情報収集装置から制御によって貯蔵室内の状態を検知し、前記検知情報を前記情報収集装置に応答するステップを備えた貯蔵装置の制御方法。
【請求項９】
請求項１〜６のいずれか１項記載の貯蔵装置の少なくとも一部をコンピュータに実現させるためのプログラム。
【発明の詳細な説明】
【技術分野】
【０００１】
本発明は、金属筐体で覆われた装置内部でセンサが無線通信する貯蔵装置、貯蔵装置の制御方法またはプログラムに関するものである。
【背景技術】
【０００２】
無線タグに温度センサ機能を備え、無線タグに対してリーダライタ装置から電磁波で電力を供給し無線通信によって温度情報を取得する無線タグシステムが実用化されてきている。無線タグは電池を含めて電源が接続されないので取り付け場所を選ばない。
【０００３】
このような無線タグを応用したシステムの一形態として、冷蔵庫の冷蔵室（貯蔵室）の温度センサを、温度センサ付き無線タグとし、リーダライタ装置（情報読取装置）から磁界を発生させ電磁誘導により、無線タグに電流を流し温度センサを駆動し温度検出を行うものがある。また利用する周波数帯によっては磁界による電磁誘導式ではなく、電磁波を輻射し無線タグのアンテナに共振電流を流し温度センサを駆動する（電磁波式）。
【０００４】
このように電源がない温度センサに対して無線で温度情報を取得することにより、温度センサの配線がなくなり設置性がよく、任意の冷蔵室（貯蔵室）の温度を取得できるようにしているものである（例えば、特許文献１参照）。
【特許文献１】特開２００６−２１４６４４号公報
【発明の開示】
【発明が解決しようとする課題】
【０００５】
しかしながら、前記従来の構成では、無線タグの温度センサは冷蔵庫の使用状態、すなわち食品の位置や量などの状態に関係なくリーダライタ装置は磁界あるいは電磁波を送出し温度センサを起動しようとする。しかし冷蔵室（貯蔵室）の中の食品の位置や量によっては、リーダライタ装置と温度センサの間の空間に食品が入れられており、温度センサに備えたアンテナに誘導される電力（電磁誘導式の場合）、または共振電流（電磁波式）が温度センサを動作させるに十分な電力を供給できない場合が発生するという問題があった。
【０００６】
本発明は、前記従来の課題を解決するもので、本発明は冷蔵庫内に無線タグと無線通信するリーダライタ装置を備えた場合において、冷蔵庫内に保存される食品の位置や量が変化しても無線タグと品質よく無線通信を行うと共に、省エネルギーな無線通信を行うことを目的とする。
【課題を解決するための手段】
【０００７】
食品等を保存する貯蔵室と、貯蔵室内の状態を検知し前記検知情報を無線通信するセンサ手段と、前記センサ手段の検知情報を無線通信によって取得する情報収集手段と、貯蔵室内に保存される食品等の位置、量を検知する位置検出手段と、情報収集手段から送信する無線通信の出力レベルを可変する送信出力可変手段とを備えた貯蔵装置であって、
位置検出手段によって食品の位置、量を検知し、前記位置検出情報に応じて送信出力可変手段の無線通信の出力レベルを可変させる貯蔵装置としている。
【０００８】
これにより、ユーザが貯蔵装置に食品を出し入れし食品の位置、量が変化した場合、食品の位置検出手段によって情報収集手段とセンサ手段との間で無線通信する場合に障害になる食品を検知し、前記食品が障害になる場合は、情報収集手段から送出する出力レベルを増加させ、また食品がなく無線通信に障害がない場合は送出する出力レベルを減少させ
ることができるようになり、貯蔵室内の食品の量に応じて送出電力を最適に制御させることができるようになるので、無線通信の品質が向上する。
【０００９】
また食品が少ない場合などは、送出する電力を減少させるので、無駄に電力を使用しない省エネ性の高い貯蔵装置を実現する。
【００１０】
加えて、位置検出手段によって食品の位置、量を検知し、前記位置検出情報に応じて、情報収集手段に備えた２つ以上の第１のアンテナ手段を切り替えて、食品位置を考慮し空間的に最適なアンテナ手段を選択して無線通信を行いセンサ手段の検知情報を取得できるようになりさらに無線通信の品質を向上できるようになる。
【発明の効果】
【００１１】
本発明の貯蔵装置、貯蔵装置の制御方法およびプログラムを用いることにより、貯蔵室内の食品の位置に応じて無線通信の出力レベルを可変させ、貯蔵室内の無線通信の品質を向上させるという効果がある。
【発明を実施するための最良の形態】
【００１２】
第１の発明は、食品等を保存する貯蔵室と、前記貯蔵室内の状態を検知し前記検知情報を無線通信するセンサ手段と、前記センサ手段の検知情報を無線通信によって取得する情報収集手段と、前記貯蔵室内に保存される食品等の位置を検知する位置検出手段と、前記情報収集手段から送信する無線通信の出力レベルを可変する送信出力可変手段とを備え、
前記位置検出手段によって検知される位置検出情報に応じて前記送信出力可変手段の無線通信の出力レベルを可変させる貯蔵装置を構成したものである。
【００１３】
そしてユーザが貯蔵装置に食品を出し入れし食品の位置が変化した場合、食品の位置検出手段によって情報収集手段とセンサ手段との間で無線通信する場合に障害になる食品を検知し、前記食品が障害になる場合は、情報収集手段から送出する出力レベルを増加させ、また食品がなく無線通信に障害がない場合は送出する出力レベルを減少させることができるようになり、貯蔵室内の食品の量に応じて送出電力を最適に制御させることができるようになるので、無線通信の品質が向上する。また食品が少ない場合などは、送出する電力を減少させるので、無駄に電力を使用しない省エネ性の高い貯蔵装置を実現する。
【００１４】
第２の発明は、食品等を保存する貯蔵室と、前記貯蔵室内の状態を検知し前記検知情報を無線通信するセンサ手段と、前記センサ手段の検知情報を無線通信によって取得する情報収集手段と、前記貯蔵室内に保存される食品等の位置を検知する位置検出手段と、前記情報収集手段から無線信号を送信する複数のアンテナ手段とを備え、前記位置検出手段によって検知される食品の位置に応じて前記複数のアンテナ手段の中から少なくとも１つを選択して無線通信を行う貯蔵装置を構成したものである。
【００１５】
そして位置検出手段によって食品の位置を検知し、前記位置検出情報に応じて、情報収集手段に備えた２つ以上の第１のアンテナ手段を切り替えて、食品位置を考慮し空間的に最適なアンテナ手段を選択して無線通信を行いセンサ手段の検知情報を取得できるようになりさらに無線通信の品質を向上できるようになる。
【００１６】
第３の発明は前記位置検出手段の位置検出情報に応じてアンテナ手段を選択し、前記送信出力可変手段で無線通信の出力レベルを可変する請求項２に記載の貯蔵装置を構成したものである。
【００１７】
そして位置検出手段によって食品の位置を検知し、前記位置検出情報に応じて、情報収集手段に備えた複数のアンテナ手段を切り替える共に送信電力を可変させるので、食品位
置を考慮し最適なアンテナ、及び最適な送信電力で無線通信することができるので、無線通信の品質を向上しながら、また省エネ性を高めることができる。
【００１８】
第４の発明は、複数の前記アンテナ手段を前記貯蔵室の異なる内壁面に配置した請求項１、２または３に記載の貯蔵装置を構成したものである。
【００１９】
そして情報収集手段の複数のアンテナ手段を異なる前記貯蔵室の内壁面に配置することで、センサ手段のアンテナの向きに影響しにくくなり、センサ手段の設置の自由度が向上する。
【００２０】
第５の発明は、前記センサ手段は第２のアンテナ手段を備え、前記第２のアンテナ手段を複数備える請求項１、２、３または４に記載の貯蔵装置を構成したものである。
【００２１】
そしてセンサ手段の第２のアンテナ手段を複数備えることで、センサ手段側においてもアンテナ手段を切り替えることが可能になり、さらに食品の位置に影響されにくい通信が可能となる。
【００２２】
第６の発明は、複数の前記第２のアンテナ手段を前記貯蔵室の異なる内壁面に配置した請求項５に記載の貯蔵装置を構成したものである。
【００２３】
そしてセンサ手段の複数のアンテナ手段を前記貯蔵室の異なる内壁面に配置することで、情報収集手段のアンテナの向きに影響しにくくなり、情報収集手段の設置の自由度が向上する。
【００２４】
第７の発明は、食品等を貯蔵室に保存するステップと、前記貯蔵室内に保存される食品等の位置を検知するステップと、食品の位置を検知し前記位置検出情報に応じて情報収集装置からの無線通信の出力レベルを可変させるステップと、センサ装置は前記情報収集装置からの制御によって貯蔵室内の状態を検知し、前記検知情報を前記情報収集装置に応答するステップを備えた貯蔵装置の制御方法である。
【００２５】
そしてユーザが貯蔵装置に食品を出し入れし食品の位置が変化した場合、食品の位置検出手段によって情報収集手段とセンサ手段との間で無線通信する場合に障害になる食品を検知し、前記食品が障害になる場合は、情報収集手段から送出する出力レベルを増加させ、また食品がなく無線通信に障害がない場合は送出する出力レベルを減少させることができるようになり、貯蔵室内の食品の量に応じて送出電力を最適に制御させることができるようになるので、無線通信の品質が向上する。また食品が少ない場合などは、送出する電力を減少させるので、無駄に電力を使用しない省エネ性の高い貯蔵装置を実現する。
【００２６】
第８の発明は、食品等を貯蔵室に保存するステップと、前記貯蔵室内に保存される食品等の位置を検知するステップと、食品の位置を検知し前記位置検出情報に応じて、前記情報収集装置に備えた複数のアンテナを切り替えるステップと、前記センサ装置は前記情報収集装置から制御によって貯蔵室内の状態を検知し、前記検知情報を前記情報収集装置に応答するステップを備えた貯蔵装置の制御方法である。
【００２７】
そして位置検出手段によって食品の位置を検出し、前記位置検出情報に応じて、情報収集手段に備えた複数のアンテナ手段を切り替えて、食品位置を考慮し空間的に最適なアンテナ手段を選択して無線通信を行ってセンサ手段の検知情報を取得できるようになりさらに無線通信の品質を向上できるようになる。
【００２８】
第９の発明は、請求項１〜６のいずれか１項記載の貯蔵装置の少なくとも一部をコンピ
ュータに実現させるためのプログラムである。
【００２９】
そして、プログラムであるので、電気・情報機器、コンピュータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００３０】
以下、本発明の実施の形態について、図面を参照しながら説明する。なお、この実施の形態によって本発明が限定されるものではない。
【００３１】
（実施の形態１）
図１は本発明の実施の形態１における冷蔵庫（貯蔵装置）の斜視図を示すものである。図２は冷蔵室２の詳細構成を示す正面図である。図１、図２において冷蔵庫１は冷蔵室２、冷蔵室扉３、温度センサ付き無線タグ４、リーダライタ装置５、リーダライタ装置５に接続した第１のアンテナＡ６、第１のアンテナＢ７、位置検出センサ９、１０、温度センサ付き無線タグの第２のアンテナＡ１１、第２のアンテナＢ１２で構成される。また本実施の形態では、冷蔵室２内には金属缶で構成された食品８が保存されている。
【００３２】
本実施の形態では、リーダライタ装置５より第１のアンテナＡ６、第１のアンテナＢ７を介して磁界を発生させ、温度センサ付き無線タグ４の第２のアンテナＡ１１、第２のアンテナＢ１２に電磁誘導により誘導電流を流し、温度センサ付き無線タグ４を駆動し、温度検知を行い検知した温度情報をリーダライタ装置５に対して無線通信して温度情報を取得するシステムを構成している。
【００３３】
本実施の形態のリーダライタ装置５と温度センサ付き無線タグ４は１３．５６ＭＨｚ帯の周波数を利用した無線タグシステムを構成する。温度センサ付き無線タグ４はパッシブタグと呼ばれ、リーダライタ装置５から供給されるエネルギーで動作するもので電源が不要の為、冷蔵庫１内で自由に取り付けが可能である。
【００３４】
リーダライタ装置５と温度センサ付き無線タグ４の間の無線通信機能について図３を参照しながら説明する。図３は冷蔵室２内の温度センサ付き無線タグシステムを示すブロック図である。
【００３５】
リーダライタ装置５は温度センサ付き無線タグ４の検知する温度情報を収集する情報収集手段３２、温度センサ付き無線タグ４と無線通信を行う無線通信手段３３、温度センサ付き無線タグ４と通信路の状況に応じて、送出する磁界の出力（電力）を可変する送信出力可変手段３４、第１のアンテナ手段３５から構成される。
【００３６】
位置検出手段３１は情報収集手段３２が温度情報を取得しようとする時、温度センサ付き無線タグ４とリーダライタ装置５との間の無線通信に障害になる食品８の有無、量を検知し、障害になる食品８の有無を情報収集手段３２へ通知する。位置検出手段３１は超音波センサや赤外線センサなどのセンサで構成し、超音波や赤外線を冷蔵室２内の一定範囲に照射し、通信路の障害となる食品８の有無、量を検知するものである。
【００３７】
温度センサ付き無線タグ４は、第２のアンテナ手段３６、無線ＩＣで構成された無線タグ手段３７、温度検知を行う温度センサ手段３８から構成される。第２のアンテナ手段３６は、アンテナ手段３５から発生する磁界を受けて、電磁誘導により誘導電流を生じるようにコイル状、ループ状のアンテナで構成している。
【００３８】
次に温度センサ付き無線タグ４で温度検知を行う動作・作用について図４を用いて説明
する。図４は位置検出手段３１で障害を検知した時、送信出力を上げる動作のフローチャートである。
【００３９】
ユーザは、リーダライタ装置５と温度センサ付き無線タグ４の通信路間に、通信に障害を与える金属製の缶詰（食品８）などを冷蔵室１に入れる（Ｓ１０１）。
【００４０】
障害を与えるとは、磁界エネルギーが温度センサ付き無線タグ４の第２のアンテナ手段３６に届きにくくなる状況である。主として水や金属などが通信する空間やその周辺にある場合影響を受ける。
【００４１】
情報収集手段３２は、一定時間ごとに冷蔵室内の温度を取得し、冷蔵室内の温度を一定に保つように制御している。温度取得のタイミングになると温度情報を取得するように動作する。（Ｓ１０２）。
【００４２】
温度取得のタイミングになると、位置検出手段３１は超音波や赤外線を用いて、温度センサ付き無線タグ４との通信に障害になる食品の置かれている位置、量を検知する（Ｓ１０３）。
【００４３】
具体的に言えば、温度センサ付き無線タグ４とリーダライタ装置５の空間に、水分が多い食品や金属製容器に入った食品、鍋などが置かれた場合である。
【００４４】
そして障害を与える食品の量が予め設定された閾値以上の検知レベルの場合、通信路に障害を与える食品が多数あると判定する。逆に閾値以下の場合は、障害になる食品は少ないと判定する（Ｓ１０４）。
【００４５】
無線通信に障害になる食品が多数あると判定した場合、情報収集手段３２は、送信出力可変手段３４に対し予め設定されたデフォルトの送信出力レベルより送信出力を大きくするように制御する。例えば、送信出力レベルを５段階とした場合、デフォルトレベルをレベル３とし、レベル４ないしはレベル５に変更するものである。それぞれのレベルには予め決められた送信出力（送信電力）が設定され、レベルが大きくなるほど送信出力が大きくなるように設定している。そして無線通信手段３３より変調した無線信号を磁界に乗せて、第１のアンテナ手段３５を介して送出する（Ｓ１０５）。
【００４６】
逆に障害になる食品８が全くなく、通信路の状況がよい場合、送信出力可変手段３４によりデフォルトレベルより送信出力レベルを小さくし、レベル２又はレベル１に変更する。
【００４７】
また食品の量が、中間的な量であった場合はデフォルトレベルで送信するものである。このように食品の検知量に応じて送信出力レベルを変化させる。
【００４８】
前記の送出した磁界は第２のアンテナ手段３６に対し電磁誘導により電流が流れ、そのエネルギーで無線タグ手段３７および温度センサ手段３８が起動する。起動した無線タグ手段３７は変調信号を復調し、情報収集手段３２からの温度情報収集信号であることを判定すると、温度センサ手段３８で検知した温度情報を、磁界に乗せて応答する。応答された磁界により、アンテナ３５に誘導電流が流れ無線通信手段３３で温度情報を取り出す。取り出された温度情報は情報収集手段３２で取得され、取得した温度情報に応じて冷蔵室２内の冷却制御を行う（Ｓ１０６）。
【００４９】
このようにユーザが貯蔵装置に食品を出し入れし食品の位置、量が変化した場合、食品の位置検出手段３１によって情報収集手段３２と温度センサ手段３８との間で無線通信す
る場合に障害になる食品などを検知し、前記食品が障害になる場合は、情報収集手段３１から送出する出力レベルを増加させ、また食品がなく無線通信に障害がない場合は送出する出力レベルを減少させることで、冷蔵室２内の食品の量に応じて送信電力を最適に制御するので、無線通信の品質を向上する。また食品が少ない場合などは、送出する電力を減少させるので、無駄に電力を使用しない省エネな冷蔵庫を実現する。
【００５０】
（実施の形態２）
本実施の形態２の温度センサ付き無線タグ４で温度検知を行う動作・作用について図２、図５、図６を用いて説明する。
【００５１】
図５は位置検出情報に応じて、複数のアンテナを切り替えて無線通信を行う温度センサ付き無線タグシステムを示すブロック図である。図６は位置検出手段で障害を検知した時、アンテナを切り替えて無線通信を行う動作のフローチャートである。
【００５２】
本実施の形態において前記実施の形態と異なる点は、複数の位置検出情報に応じて複数のアンテナ手段を切り替える点である。なお同一構成要素に関しては同一番号を付して説明を省略する。図５において前記実施形態と異なる構成要素は、アンテナ切替手段３９、第１のアンテナ手段Ａ４０、第１のアンテナ手段Ｂ４１、位置検出手段Ａ４２、位置検出手段Ｂ４３である。
【００５３】
位置検出手段Ａ４２は第１のアンテナ手段Ａ４０と、また位置検出手段Ｂ４３は第１のアンテナ手段Ｂ４１とそれぞれ同一面に配置し、それぞれの面の位置検出センサはそれぞれの面の第１のアンテナ手段の為に設けている。第１のアンテナ手段Ａ４０、Ｂ４１は異なる面に配することで、食品の位置、量の変化に合わせて、異なる方向から無線通信させ通信品質の向上を図るためである。また複数配する第１のアンテナ手段を垂直に配することは、平行する面にリーダライタ装置５と温度センサ付き無線タグ４の互いのアンテナを配置しないと磁界結合しにくいという性質上の問題を補完し、温度センサ付き無線タグ３８側の配置の自由度を向上させている。
【００５４】
次に位置検出手段の検知情報に応じてアンテナを切り替えて通信を行う動作・作用について説明する。
【００５５】
図２のように、冷蔵室２内は位置検出センサが２つ存在する場合、温度情報を取得するとき複数の位置検出センサ９、１０のそれぞれで食品の位置、量を検出させる。また温度センサ付き無線タグ４も第２のアンテナＡ１１、第２のアンテナＢ１２のように複数のアンテナを備え、異なる第１のアンテナ６、７からの磁界を受信できるようにしている。第２のアンテナＡ１１、Ｂ１２は、第１のアンテナＡ６、Ｂ７とそれぞれ平行するように配置し、磁界結合しやすいように設置している。
【００５６】
温度情報の取得を行うタイミングで、情報収集手段３２が温度情報を収集する時、情報収集手段３２より複数ある位置検出手段Ａ４２（位置検出センサ９）、位置検出手段Ｂ４３（位置検出センサ１０）に位置検出を行うように制御する。そして食品の位置、量をそれぞれの位置検出手段で位置検出を行い、例えば量の少ない方より１〜５までの５段階の検出レベルがあるとすると、位置検出手段Ａ４２は検出レベル４、位置検出手段Ｂ４３は検出レベル１と検知する（図６  Ｓ１０３）。
【００５７】
前記検知情報は情報収集手段３２に集められ、検出レベルの小さい方の第１のアンテナ手段Ｂ４１を選択する。そしてアンテナ切替手段３９を制御し第１のアンテナ手段Ｂ４１に切り替え、温度情報を読み出す為無線通信手段３３より変調した無線信号を磁界に乗せて、選択した第１のアンテナ手段Ｂ４１より送出する（Ｓ２０７）。
【００５８】
そして実施の形態１と同様に第２のアンテナ手段３６に誘導電流を流し、前記エネルギーで温度センサ手段３８、無線タグ手段３７を起動する。起動された温度センサ手段３８は温度を検出し、温度情報は無線タグ手段３６より磁界に情報を乗せて応答する。応答された温度情報は、無線通信手段３３で受信され情報収集手段３２で取得される。そして取得温度情報に応じて、冷蔵室２内の冷却制御を行う（図６  Ｓ１０６）。
【００５９】
なお実施の形態１、２では、周波数帯１３．５６ＭＨｚの電磁結合式通信の無線タグで温度検知を行う冷蔵庫を説明したが、前記周波数帯、方式に限定されるものではなく、他の周波数帯１３５ｋＨｚ、４００ＭＨｚ帯、ＵＨＦ帯、２．４ＧＨｚ帯などのいずれの周波数帯でもよく、また通信方式も電磁誘導式でなく電磁波方式であっても同様な冷蔵庫を構成できると共に同様の効果がある。
【００６０】
また温度センサ付き無線タグ４は本実施の形態ではパッシブタグ（自身に電源がないタグ）で説明したが、電池を搭載し電源を備えたアクティブタグ型の温度センサにすることも可能であり同様の効果がある。
【００６１】
またリーダライタ装置５、温度センサ付き無線タグ４のアンテナを、それぞれ２つのアンテナを垂直に配した場合を説明したが、それに限定されるものではなく、アンテナの数量、配する面などは、冷蔵庫の構成に応じて３つ以上でも同一面、または平行する面に配置しても構わない。
【００６２】
また冷蔵室内の温度検知に関して説明したが冷凍室、野菜室、製氷機等その他の庫内でもよい。
【００６３】
またセンサ手段は温度センサで説明したが、センサ手段は温度センサ手段に限定されない。湿度センサ、圧力センサ、重量センサなどであってもよい。
【００６４】
このように本実施の形態の構成によれば、位置検出手段Ａ４２、位置検出手段Ｂ４３によって食品の位置、量を検知し、前記位置検出情報に応じて情報収集手段３２に備えた２つの第１のアンテナ手段４０、４１を切り替えて、食品位置を考慮し通信妨害を受けにくいアンテナを選択して無線通信を行えるので、温度検知ができない状況を減少させることができ、無線通信の品質を向上できるようになる。
【００６５】
また本実施の形態では位置検出情報によって送信出力の可変、またはアンテナの切り替えを行い、温度センサ付き無線タグとの通信品質を向上させているが、組み合わせて構成してもよく、リーダライタ装置のアンテナを切り替えて送信出力を可変して磁界を出力させることもでき、さらに通信品質が向上する。
【００６６】
またリーダライタ装置５に、２つ以上第１のアンテナ手段４０、４１を設け、異なる面に前記アンテナ手段を配置することで、温度センサ付き無線タグ４のアンテナの位置や向きの自由度が向上し、さらに通信品質を向上させる。
【００６７】
また温度センサ付き無線タグ４の第２のアンテナ手段を２つ以上設けることによって、対向するリーダライタ装置５のアンテナ手段の設置自由度が向上し、また複数のアンテナ手段で通信できるようになるので、無線通信品質が向上する。
【００６８】
また温度センサ付き無線タグ４の第２のアンテナ手段を異なる面上に配することで、空間的に、リーダライタ装置５側のアンテナ手段の設置自由度が向上し、またシステム的にも多方向からの通信経路ができるようになるので、より通信品質が向上するようになる。
【００６９】
また本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００７０】
本発明にかかる貯蔵装置、貯蔵装置の制御方法及びプログラムは、温度センサ、湿度センサ、圧力センサなどの各種センサ手段を備えてかつ食品や管理するものによって無線通信経路の状況が変化し障害を受ける家庭用、業務用の貯蔵装置に利用できる。
【図面の簡単な説明】
【００７１】
【図１】本発明の実施の形態１における貯蔵装置の斜視図
【図２】本発明の実施の形態１における貯蔵室の正面図
【図３】本発明の実施の形態１における貯蔵装置の温度センサ付き無線タグシステムを示すブロック図
【図４】本発明の実施の形態１における貯蔵装置の温度センサ付き無線タグシステムの動作を示すフローチャート
【図５】本発明の実施の形態２における貯蔵装置の温度センサ付き無線タグシステムを示すブロック図
【図６】本発明の実施の形態２における貯蔵装置の温度センサ付き無線タグシステムの動作を示すフローチャート
【符号の説明】
【００７２】
１  冷蔵庫（貯蔵装置）
２  冷蔵室（貯蔵室）
４  温度センサ付き無線タグ（センサ手段）
６  第１のアンテナＡ（第１のアンテナ手段）
７  第１のアンテナＢ（第１のアンテナ手段）
８  食品
９、１０  位置検出センサ（位置検出手段）
１１  第２のアンテナＡ（第２のアンテナ手段）
１２  第２のアンテナＢ（第２のアンテナ手段）
３１  位置検出手段
３２  情報収集手段
３４  送信出力可変手段
３５  第１のアンテナ手段
３６  第２のアンテナ手段
４０  第１のアンテナ手段Ａ（第１のアンテナ手段）
４１  弟１のアンテナ手段Ｂ（第１のアンテナ手段）
４２  位置検出手段Ａ（位置検出手段）
４３  位置検出手段Ｂ（位置検出手段）
【図１】
2009168306.tif 000003
【図２】
2009168306.tif 000004
【図３】
2009168306.tif 000005
【図４】
2009168306.tif 000006
【図５】
2009168306.tif 000007
【図６】
2009168306.tif 000008